(57)【要約】  このステータの組立方法は、コイルのコイルエンド部を倒れ抑制部材によりステータコアの径方向外側から支持してコイルエンド部の倒れを抑制しながら、押圧部材によりコイルエンド部をステータコアの内周側から径方向外側に押圧することにより、スロットにコイルを挿入する工程を備える。
2016129197.tif 000002
【特許請求の範囲】
【請求項１】
円環状のステータコアの内周に設けられたスロットに収容されるスロット収容部と、前記円環状のステータコアの中心軸線の延びる方向である軸方向において前記ステータコアの端面の外側に配置されるコイルエンド部とを有するコイルを、複数組み合わせて前記ステータコアの内周側に配置する工程と、
前記ステータコアの内周側に配置された前記コイルの前記コイルエンド部を押圧部材により前記ステータコアの内周側から外周側へ押圧することにより、前記スロット収容部同士の間隔を拡げながら前記コイルを前記スロットに挿入する際に、前記コイルの前記コイルエンド部を倒れ抑制部材により前記ステータコアの径方向外側から支持して前記コイルエンド部の倒れを抑制しながら、前記押圧部材により前記コイルエンド部を前記ステータコアの内周側から径方向外側に押圧することにより、前記スロットに前記コイルを挿入する工程と、を備えた、ステータの組立方法。
【請求項２】
前記コイルを挿入する工程は、前記押圧部材の押圧時の径方向外側への移動に伴って、前記倒れ抑制部材を径方向外側に移動させることを特徴とする、請求項１に記載のステータの組立方法。
【請求項３】
前記コイルを挿入する工程は、前記押圧部材の径方向外側への移動に伴う前記スロットに挿入される前記コイルの形状の変化に応じて、前記押圧部材と前記倒れ抑制部材との間隔を異ならせることを特徴とする、請求項２に記載のステータの組立方法。
【請求項４】
前記コイルを挿入する工程は、前記押圧部材により前記コイルエンド部を前記ステータコアの内周側から径方向外側に押圧しながら、前記押圧部材に対して前記ステータコアを前記中心軸線周りの回転方向に相対的に移動させる工程であり、
前記押圧部材は、前記ステータコアの前記回転方向への移動に伴って回転する押圧ローラであり、
前記倒れ抑制部材は、前記コイルエンド部を支持しながら前記コイルエンド部の前記回転方向への移動に伴って回転する倒れ抑制ローラである、請求項１〜３のいずれか１項に記載のステータの組立方法。
【請求項５】
前記コイルを前記ステータコアの内周側に配置する工程は、組み合わされた複数の前記コイルに、前記スロット収容部を前記スロットに案内するガイド部を含むガイド治具を取り付ける工程を含み、
前記コイルを挿入する工程は、前記押圧部材により前記コイルエンド部を径方向外側に押圧し、前記スロット収容部を前記ガイド治具の前記ガイド部に沿って径方向外側に移動させることにより、前記スロット収容部間の周方向の間隔を拡大させながら前記スロット収容部を前記スロット内に挿入することを特徴とする、請求項１〜４のいずれか１項に記載のステータの組立方法。
【請求項６】
円環状のステータコアの内周に設けられたスロットに収容されるスロット収容部と、前記円環状のステータコアの中心軸線の延びる方向である軸方向において前記ステータコアの端面の外側に配置されるコイルエンド部とを有するコイルが複数組み合わされた状態で、前記コイルの前記コイルエンド部を、前記ステータコアの内周側から径方向外側に押圧して、前記スロット収容部同士の間隔を拡げながら前記スロットに前記コイルを挿入する押圧部材と、
前記押圧部材により前記コイルエンド部が径方向外側に押圧される際に、前記コイルエンド部を径方向外側から支持して前記コイルエンド部の倒れを抑制する倒れ抑制部材と、を備えた、ステータの組立装置。
【請求項７】
前記倒れ抑制部材は、前記押圧部材の押圧時の径方向外側への移動に伴って、前記コイルエンド部を支持しながら径方向外側に移動するように構成されている、請求項６に記載のステータの組立装置。
【請求項８】
前記倒れ抑制部材は、前記押圧部材の径方向外側への移動に伴って前記スロットに挿入される前記コイルの形状の変化に応じて、前記押圧部材と前記倒れ抑制部材との間隔を異ならせるように構成されている、請求項７に記載のステータの組立装置。
【請求項９】
前記押圧部材は、前記押圧部材に対する前記ステータコアの前記中心軸線周りの回転方向への相対移動に伴って回転する押圧ローラであり、
前記倒れ抑制部材は、前記コイルエンド部を支持しながら前記コイルエンド部の前記回転方向への移動に伴って回転する倒れ抑制ローラであり、
前記倒れ抑制ローラは、前記押圧部材の前記コイルエンド部に対する押圧方向に延びる線分に対して一方側に配置される第１倒れ抑制ローラと、前記線分に対して他方側に配置される第２倒れ抑制ローラとを含む、請求項６〜８のいずれか１項に記載のステータの組立装置。
【請求項１０】
組み合わされた複数の前記コイルに取り付けられ、前記スロット収容部を前記スロットに案内するガイド部を含むガイド治具をさらに備え、
前記押圧部材により前記コイルエンド部を径方向外側に押圧し、前記スロット収容部を前記ガイド治具の前記ガイド部に沿って径方向外側に移動させることにより、前記スロット収容部間の周方向の間隔を拡大させながら前記スロット収容部を前記スロット内に挿入するように構成されている、請求項６〜９のいずれか１項に記載のステータの組立装置。
【発明の詳細な説明】
【技術分野】
【０００１】
本発明は、ステータの組立方法およびステータの組立装置に関し、特に、コイルをステータコアの内周側から径方向外側に移動させてスロットに挿入する方式のステータの組立方法およびステータの組立装置に関する。
【背景技術】
【０００２】
従来、コイルをステータコアの内周側から径方向外側に移動させてスロットに挿入する方式のステータの組立方法が知られている。このようなステータの組立方法は、たとえば、特開２０１１−１９３５９７号公報に開示されている。【０００３】
上記特開２０１１−１９３５９７号公報には、ステータコアのスロットと同じピッチの保持溝にコイルが装着された治具をステータコアの内周側に配置し、コイルを径方向外側に移動させてコイルを保持溝からスロットに挿入するステータの組立方法が開示されている。詳細には、押圧手段がコイルのコイルエンド部を軸方向に押圧することにより、環状のコイルの周方向の幅を拡げながら（軸方向にコイルエンド部を押しつぶしながら）、押し出し手段がコイルのコイルエンド部を径方向外側に押圧することによって、コイル全体を保持溝からスロット側（径方向外側）に移動させる。【０００４】
上記特開２０１１−１９３５９７号公報の組立方法では、押圧手段がコイルエンド部を軸方向に押圧する際、コイルエンド部がつぶれる方向を制御し難いため、コイルエンド部が径方向に倒れ込むようにつぶれたりして、組立後のコイルエンド部の形状にばらつきが生じ易いという不都合がある。また、個々のコイルは製造ばらつきによって寸法差があるため、上記特開２０１１−１９３５９７号公報の組立方法では、コイルエンド部の大きさが相対的に大きいコイルを、押圧手段が必要以上につぶしてしまう（変形させてしまう）場合があるという不都合がある。また、上記特開２０１１−１９３５９７号公報の組立方法では、押圧手段によってコイルエンド部全体が押しつぶされるように変形されるため、ステータコアへの押しつけによってコイル（コイルエンド部）がダメージを受け易いという不都合がある。【０００５】
そのため、コイルエンド部の形状ばらつきの抑制や、コイルエンド部へのダメージの抑制という観点からは、組立時にコイルエンド部を軸方向に押圧して変形させる（押しつぶす）ことなくコイルをステータコアに組み付けられるようにすることが望ましい。
【先行技術文献】
【特許文献】
【０００６】
【特許文献１】特開２０１１−１９３５９７号公報
【発明の概要】
【発明が解決しようとする課題】
【０００７】
しかしながら、コイルエンド部を軸方向に押圧して変形させずに、コイルエンド部を径方向外側に押圧するだけでコイルを組み付ける場合、コイルをスロットに挿入する際に、コイルエンド部のみに対して径方向外側に向かう大きな押圧力が作用する。一方、コイルのうちスロット内に挿入されるスロット収容部に対しては、コイルを挿入する際にスロット収容部をガイドする部材（ガイド治具や、ステータコアのティースの側面）との摩擦力が発生して挿入が妨げられる。その結果、軸方向両外側のコイルエンド部に比べて、軸方向中央のスロット収容部の径方向外側（スロット内部）への移動量が小さくなり、コイル全体が弓状に反った状態となるため、コイルエンド部が径方向外側に倒れてしまう場合があるという問題点がある。その結果、組立後のコイルエンド部の形状がばらついてしまう。【０００８】
この発明は、上記のような課題を解決するためになされたものであり、この発明の１つの目的は、コイルエンド部を径方向外側に押圧してコイルを組み付ける場合において、ステータコアへのコイルの組付時にコイルエンド部が径方向外側へ倒れてしまうのを抑制することが可能なステータの組立方法およびステータの組立装置を提供することである。
【課題を解決するための手段】
【０００９】
上記目的を達成するために、この発明の第１の局面におけるステータの組立方法は、円環状のステータコアの内周に設けられたスロットに収容されるスロット収容部と、円環状のステータコアの中心軸線の延びる方向である軸方向においてステータコアの端面の外側に配置されるコイルエンド部とを有するコイルを、複数組み合わせてステータコアの内周側に配置する工程と、ステータコアの内周側に配置されたコイルのコイルエンド部を押圧部材によりステータコアの内周側から外周側へ押圧することにより、スロット収容部同士の間隔を拡げながらコイルをスロットに挿入する際に、コイルのコイルエンド部を倒れ抑制部材によりステータコアの径方向外側から支持してコイルエンド部の倒れを抑制しながら、押圧部材によりコイルエンド部をステータコアの内周側から径方向外側に押圧することにより、スロットにコイルを挿入する工程と、を備える。【００１０】
この発明の第１の局面によるステータの組立方法では、上記のように、ステータコアの内周側に配置されたコイルのコイルエンド部を倒れ抑制部材によりステータコアの径方向外側から支持してコイルエンド部の倒れを抑制しながら、押圧部材によりコイルエンド部をステータコアの内周側から径方向外側に押圧することにより、スロットにコイルを挿入する工程を設ける。これにより、組付時に押圧部材によりコイルエンド部に径方向外側への大きな力が作用する場合にも、コイルエンド部が径方向外側へ倒れるのを倒れ抑制部材により抑制することができる。その結果、コイルエンド部を径方向外側に押圧してコイルを組み付ける場合において、ステータコアへのコイルの組付時にコイルエンド部が径方向外側へ倒れてしまうのを抑制することができる。【００１１】
この発明の第２の局面におけるステータの組立装置は、円環状のステータコアの内周に設けられたスロットに収容されるスロット収容部と、円環状のステータコアの中心軸線の延びる方向である軸方向においてステータコアの端面の外側に配置されるコイルエンド部とを有するコイルが複数組み合わされた状態で、コイルのコイルエンド部を、ステータコアの内周側から径方向外側に押圧して、スロット収容部同士の間隔を拡げながらスロットにコイルを挿入する押圧部材と、押圧部材によりコイルエンド部が径方向外側に押圧される際に、コイルエンド部を径方向外側から支持してコイルエンド部の倒れを抑制する倒れ抑制部材と、を備える。【００１２】
この発明の第２の局面によるステータの組立装置では、上記のように、押圧部材によりコイルエンド部が径方向外側に押圧される際に、コイルエンド部を径方向外側から支持してコイルエンド部の倒れを抑制する倒れ抑制部材を設ける。これにより、組付時に押圧部材によりコイルエンド部に径方向外側への大きな力が作用する場合にも、コイルエンド部が径方向外側へ倒れるのを倒れ抑制部材により抑制することができる。その結果、コイルエンド部を径方向外側に押圧してコイルを組み付ける場合において、ステータコアへのコイルの組付時にコイルエンド部が径方向外側へ倒れてしまうのを抑制することができる。
【発明の効果】
【００１３】
本発明によれば、上記のように、コイルエンド部を径方向外側に押圧してコイルを組み付ける場合において、ステータコアへのコイルの組付時にコイルエンド部が径方向外側へ倒れてしまうのを抑制することができる。
【図面の簡単な説明】
【００１４】
【図１】本発明の第１実施形態によるステータの組立装置の斜視図である。
【図２】本発明の第１実施形態によるステータの組立装置の部分斜視断面図である。
【図３】図１のステータの組立装置をステータコアの中心軸線が延びる方向から見た模式的な側面図である。
【図４】図１のステータの組立装置をステータコアの中心軸線と直交する方向から見た模式的な側面図である。
【図５】組立後のステータを示した斜視図である。
【図６】ステータコアの同じスロットにスロット収容部が収容される同相の２つのコイルの斜視図（Ａ）および上面図（Ｂ）である。
【図７】ステータコアへのコイルの組付開始時点の各部の位置関係を説明するための模式図である。
【図８】ステータコアへのコイルの組付終了時点の各部の位置関係を説明するための模式図である。
【図９】コイルが挿入される前の状態におけるコイル収容部およびガイド治具の位置関係（Ａ）と、コイルが挿入された後の状態におけるコイル収容部およびガイド治具の位置関係（Ｂ）とを示した模式図である。
【図１０】ティースの先端側にコイルが位置する場合のコイルの形状（Ａ）と、ティースの根元側までコイルが挿入された場合のコイルの形状（Ｂ）とを示した模式図である。
【図１１】本発明の第２実施形態によるステータの組立装置の構造を説明するための模式的な側面図である。
【図１２】本発明の第３実施形態によるステータの組立装置の構造を説明するための模式的な側面図である。
【図１３】ステータの組立装置の変形例におけるコイルの組付開始時点の状態を説明するための模式的な平面図である。
【図１４】図１３におけるコイルの組付終了時点の状態を説明するための模式的な平面図である。
【発明を実施するための形態】
【００１５】
以下、本発明の実施形態を図面に基づいて説明する。
【００１６】
［第１実施形態］
（ステータの組立装置の構造）
図１〜図５を参照して、第１実施形態によるステータ２００（図５参照）の組立装置１００の構造について説明する。
【００１７】
図１および図２に示すように、ステータ２００の組立装置１００は、ステータコア１１０（図２参照）に対してコイル１２０（図２参照）を組み付けるための装置である。第１実施形態では、組立装置１００には、ステータコア１１０と、ステータコア１１０に取り付けられた治具１３０と、治具１３０に取り付けられたコイル１２０とを含むコイルアッセンブリ１４０がセットされる。組立装置１００は、コイルアッセンブリ１４０において治具１３０に保持されたコイル１２０を、ステータコア１１０のスロット１１３に挿入するように構成されている。
【００１８】
組立装置１００は、コイルアッセンブリ１４０のコイル１２０を押し出す押出装置１０と、コイルアッセンブリ１４０を支持する支持台２０とを備えている。
【００１９】
押出装置１０は、コイルアッセンブリ１４０の軸方向（ステータコア１１０の中心軸線Ａｘ（図２参照）の延びるＸ方向）の両側に配置される一対の腕部１１と、一対の腕部１１の上端部同士を接続する梁部１２とを備える。
【００２０】
第１実施形態では、押出装置１０は、２つの押圧部材３０を含んでいる。２つの押圧部材３０は、円形状の外周面３１ａを有する２つの押圧ローラ３１を含む。図２に示すように、２つの押圧ローラ３１は、コイルアッセンブリ１４０の軸方向の両側にそれぞれ配置されている。また、２つの押圧ローラ３１は、一対の腕部１１に両端を回転可能に支持された軸部材１３に取り付けられている。これにより、２つの押圧ローラ３１は、軸部材１３を介して一対の腕部１１に回転可能に支持されている。２つの押圧ローラ３１は、それぞれ、コイルアッセンブリ１４０における軸方向の一方側および他方側のコイルエンド部１２３および１２４に対応する位置に配置されている。
【００２１】
押圧部材３０（押圧ローラ３１）は、コイル１２０のコイルエンド部１２３および１２４をステータコア１１０の内周側から径方向外側に押圧して、スロット収容部１２１と１２２（図６参照）との間隔を拡げながらスロット１１３にコイル１２０を挿入するように構成されている。詳細には、押出装置１０が押圧駆動源１０ａ（プレス機構）により上下方向（Ｚ方向）に移動可能に構成されており、押圧ローラ３１は、押出装置１０の移動に伴って、上下方向（ステータコア１１０の径方向、Ｚ方向）に移動する。押圧ローラ３１は、コイルアッセンブリ１４０の内周側（径方向内側）に配置された状態で、径方向外側（Ｚ２方向）に向けて移動することにより、コイルエンド部１２３（１２４）をステータコア１１０の内周側から径方向外側に押圧する。
【００２２】
第１実施形態では、押出装置１０は、図２に示すように、倒れ抑制部材４０を含んでいる。倒れ抑制部材４０は、押出装置１０の一対の腕部１１の下端部に配置されている。倒れ抑制部材４０は、一対の腕部１１の下端部にそれぞれ設けられた一対の保持ブロック１４に、それぞれ取り付けられている。それぞれの倒れ抑制部材４０は、コイルアッセンブリ１４０の一方側のコイルエンド部１２３および他方側のコイルエンド部１２４に対して、径方向外側の位置に配置されている。
【００２３】
倒れ抑制部材４０は、押圧部材３０の押圧時の径方向外側への移動に伴って、コイルエンド部１２３（１２４）を支持しながら径方向外側に移動するように構成されている。具体的には、倒れ抑制部材４０は、コイルエンド部１２３（１２４）に対して径方向外側から接触（支持）する位置に配置されている。また、倒れ抑制部材４０は、保持ブロック１４を介して押出装置１０の腕部１１に取り付けられている。そのため、押圧部材３０と倒れ抑制部材４０とは、押出装置１０（腕部１１）の上下方向の移動（径方向外側への移動）に伴って、径方向外側に移動する。
【００２４】
また、倒れ抑制部材４０は、押圧部材３０の径方向外側への移動に伴ってスロット１１３に挿入されるコイル１２０の形状（外径）の変化に応じて、押圧部材３０と倒れ抑制部材４０との間隔Ｄ（図３参照）を異ならせるように構成されている。ここで、保持ブロック１４は、上下方向に延びる長孔１４ａと、腕部１１との連結部材１４ｂとによって、腕部１１との上下方向の相対位置を変更可能な状態で腕部１１に取り付けられている。保持ブロック１４は、保持ブロック駆動源１５によって、腕部１１に対して上下方向に相対移動可能に構成されている。保持ブロック１４は、倒れ抑制部材４０がコイルエンド部１２３（１２４）に対して径方向外側から接触する位置に配置されるように、上下方向の位置が調節される。これにより、倒れ抑制部材４０は、保持ブロック１４の移動によって、押圧部材３０との径方向の間隔Ｄを変更する。
【００２５】
図３に示すように、倒れ抑制部材４０は、円形状の外周面４１ａ（４２ａ）を有する倒れ抑制ローラ４１および４２を含む。各保持ブロック１４には、それぞれ２つの倒れ抑制ローラ４１および４２が設けられている。倒れ抑制ローラ４１および４２は、それぞれ、保持ブロック１４に回転可能に取り付けられている。倒れ抑制ローラ４１および４２は、それぞれ、本発明の「第１倒れ抑制ローラ」および「第２倒れ抑制ローラ」の一例である。
【００２６】
倒れ抑制ローラ４１は、押圧部材３０の回転中心Ｏを通り、押圧部材３０のコイルエンド部１２３（１２４）に対する押圧方向（Ｚ２方向）に延びる線分Ｐに対して、一方側（Ｙ１方向側）に配置されている。倒れ抑制ローラ４２は、線分Ｐに対して他方側（Ｙ２方向側）に配置されている。
【００２７】
また、組立装置１００は、図４に示すように、コイルエンド部１２４の移動規制部材５０を含んでいる。移動規制部材５０は、押圧部材３０によりコイルエンド部１２４が径方向外側に押圧される際に、コイル１２０のリード線部１２５（１２６）とは反対側のコイルエンド部１２４の軸方向外側に配置され、コイルエンド部１２４の軸方向外側への移動を規制するように構成されている。
【００２８】
移動規制部材５０は、リード線部１２５（１２６）とは反対側のコイルエンド部１２４に対して、軸方向外側の位置に配置されている。移動規制部材５０は、コイルエンド部１２４と軸方向に対向し、かつ、径方向に向けて延びる平坦な外表面５１ａを有する。第１実施形態では、移動規制部材５０は、倒れ抑制部材４０に一体的に形成されている。具体的には、移動規制部材５０は、倒れ抑制ローラ４１および４２にそれぞれ一体的に形成されており、倒れ抑制ローラ４１および４２の外周面よりも大きい外径を有する円形状の鍔状部５１および５２である。鍔状部５１と鍔状部５２とは、それぞれ、径方向に向けて延びる平坦な外表面５１ａと外表面５２ａ（図２参照）とを有する。なお、リード線部１２５（１２６）側のコイルエンド部１２３を支持する倒れ抑制部材４０には、鍔状部５１（５２）が設けられておらず、倒れ抑制ローラ４１（４２）のみが設けられている。
【００２９】
移動規制部材５０は、押圧部材３０の押圧時の径方向外側への移動に伴って、径方向外側に移動するように構成されている。すなわち、倒れ抑制部材４０と一体的に形成された移動規制部材５０が、押出装置１０（腕部１１）の上下方向の移動または保持ブロック１４の腕部１１に対する上下方向の相対移動（径方向外側への移動）に伴って径方向外側に移動する。
【００３０】
また、移動規制部材５０は、コイル１２０のスロット１１３への挿入時のコイルエンド部１２４のステータコア１１０からの軸方向（Ｘ方向）の突出量の変化に応じて、軸方向（Ｘ方向）にも移動可能なように構成されている。具体的には、移動規制部材５０は、規制部材駆動源１６により、軸方向に移動可能に構成されている。
【００３１】
支持台２０は、コイルアッセンブリ１４０の下面側を支持するように構成されている。支持台２０は、コイルアッセンブリ１４０の外周面を支持する支持ローラ２１と、支持ローラ２１を回転させる支持ローラ駆動源２２とを含む。これにより、支持台２０は、支持ローラ２１によりコイルアッセンブリ１４０の下面側を支持したまま、支持ローラ２１を回転させてコイルアッセンブリ１４０を中心軸線Ａｘ周りに回転させることが可能に構成されている。コイル１２０の組付時には、押圧ローラ３１と倒れ抑制ローラ４１および４２とが、コイルアッセンブリ１４０（ステータコア１１０）の中心軸線Ａｘ周りの回転に伴って回転する。
【００３２】
（コイルアッセンブリの構造）
次に、図２〜図６を参照して、コイルアッセンブリ１４０の各部の構造について説明する。
【００３３】
図２および図５に示すように、ステータコア１１０は、円環状形状を有する。詳細には、ステータコア１１０は、円環状のバックヨーク１１１と、バックヨーク１１１から径方向内側（中心軸線Ａｘ側）へ向けて延びる複数のティース１１２とを含む。ティース１１２は、ステータコア１１０の周方向に沿って等間隔に配置されている。また、隣接する２つのティース１１２の間に、コイル１２０を保持するスロット１１３が形成されている。ステータコア１１０の内周には、複数のスロット１１３が周状に配列されている。
【００３４】
図６に示すように、コイル１２０は、矩形状の断面を有する平角導線により構成され、平角導線を複数回（たとえば、５回）巻回して所定形状に成形することによって環形状に形成されている。
【００３５】
コイル１２０は、円環状のステータコア１１０の内周に設けられたスロット１１３に収容されるスロット収容部１２１および１２２と、円環状のステータコア１１０の中心軸線Ａｘ（図４参照）の延びる方向である軸方向においてスロット１１３の外側に配置されるコイルエンド部１２３および１２４と、スロット収容部１２１および１２２からそれぞれ延びるリード線部１２５および１２６とを含む。
【００３６】
スロット収容部１２１および１２２は、略直線状に形成され、それぞれ別々のスロット１１３内に軸方向に沿って配置される。コイルエンド部１２３および１２４は、略三角形状をなすように屈曲して形成され、周方向に離間したスロット収容部１２１および１２２の端部同士を接続している。コイルエンド部１２３および１２４は、ステータコア１１０に対して、ステータコア１１０の軸方向の両端部（両端面）からそれぞれ軸方向外側に突出するように配置される。リード線部１２５および１２６は、それぞれ、複数回巻回された平角導線の一方端（巻き始め）および他方端（巻き終わり）である。リード線部１２５および１２６は、共にコイル１２０のうち軸方向の片側（図４ではＸ１方向側）に配置されており、ステータコア１１０の外側に引き出される。
【００３７】
コイル１２０は、ステータ２００の各スロット１１３に対して周方向に複数配置される。複数のコイル１２０は、全体としてステータコア１１０の内周に沿う円環形状を成すように周状に配列される。第１実施形態では、コイル１２０は、ステータコア１１０に対して、同心巻で、かつ、以下の（Ａ）〜（Ｃ）を実現するように装着される。
【００３８】
（Ａ）複数のコイル１２０が、収容されるスロット１１３を周方向に１つずつずらしながら配置される。（Ｂ）互いに周方向に隣接する２つのコイル１２０同士の平角導線が、互いに積層方向（径方向）に交互に重なるように組み付けられる。（Ｃ）互いに周方向に所定距離離れて配置される同相の２つのコイル１２０同士は、スロット収容部１２１および１２２の平角導線が、同じスロット１１３において積層方向（径方向）に交互に並ぶように組み付けられる。
【００３９】
なお、同相のコイル１２０とは、ステータ２００がたとえば３相交流モータに適用される場合、Ｕ相コイル、Ｖ相コイル、Ｗ相コイルのいずれかのコイル１２０を意味する。この場合、コイルアッセンブリ１４０は、Ｕ相、Ｖ相およびＷ相のそれぞれについて、同相のコイル１２０が２つずつ周方向に並んで配置される。
【００４０】
図２に示すように、治具１３０は、ステータコア１１０に対して固定されており、たとえば、図２に示す複数のガイド治具１３１を含んで構成されている。ガイド治具１３１は、スロット収容部１２１（１２２）をスロット１１３に案内するガイド部１３１ａ（図９参照）を含み、先端先細りのくさび形状を有する。ガイド部１３１ａ（図９参照）は、先細りの先端部における周方向両側の縁部であり、径方向に沿って直線状に形成されている。複数のガイド治具１３１は、ステータコア１１０の軸方向の両端部において、それぞれステータコア１１０の各ティース１１２と軸方向に重なるように、周方向に沿って配列されている。また、ガイド治具１３１は、先細りの先端部がティース１１２の先端よりも径方向内側に位置するように設けられている。つまり、コイルアッセンブリ１４０は、各ガイド治具１３１によって、ステータコア１１０のティース１１２（ティース１１２間のスロット１１３）が径方向内側に向けて延長された構造を有している。隣接する２つのガイド治具１３１は、ステータコア１１０のティース面よりも径方向内側の位置に、対応するスロット１１３を延長した延長スロット部１３２（図３参照）を形成している。
【００４１】
コイルアッセンブリ１４０において各ガイド治具１３１によって形成される延長スロット部１３２には、それぞれコイル１２０が上述の配置ルールを実現するように組み付けられている。これにより、延長スロット部１３２に配置された各コイル１２０を径方向外側に向けて移動させると、各コイル１２０のスロット収容部１２１または１２２がガイド部１３１ａに沿って径方向外側に案内（図９参照）され、それぞれ対応するスロット１１３に挿入される。
【００４２】
（ステータの組立方法）
図１〜図１０を参照して、ステータ２００の組立方法について説明する。なお、図１〜図４および図８は、ステータコア１１０のスロット１１３にコイル１２０が挿入された後の状態を示している。図７は、スロット１１３にコイル１２０を挿入する工程の開始時点の状態を図示している。
【００４３】
〈コイルをステータコアの内周側に配置する工程〉
まず、各コイル１２０が、ステータコア１１０の内周側に配置される。すなわち、ステータコア１１０、複数のコイル１２０および治具１３０を組み合わせて、コイルアッセンブリ１４０が組み立てられる。具体的には、まず、平角導線からなる複数のコイル１２０が周状に組み合わされる。そして、組み合わされた複数のコイル１２０に、複数のガイド治具１３１がそれぞれ取り付けられる。ガイド治具１３１は、隣接するコイル１２０のスロット収容部１２１または１２２の間に先端部が挿入されることにより各コイル１２０に取り付けられる。この結果、それぞれのコイル１２０は、隣接するガイド治具１３１により形成された延長スロット部１３２にセット（図７参照）され、各コイル１２０のスロット収容部１２１または１２２（図６参照）が各スロット１１３に対して径方向内側位置に配置される。また、各コイル１２０のコイルエンド部１２３および１２４が、ステータコア１１０（およびガイド治具１３１）の軸方向両端面から、軸方向外側にそれぞれ突出するように配置される。各コイル１２０のリード線部１２５および１２６は、軸方向の一方側（Ｘ１方向側）に配置される。
【００４４】
〈コイルアッセンブリを組立装置に配置する工程〉
次に、図１に示すように、組み立てられたコイルアッセンブリ１４０が、組立装置１００の支持台２０の支持ローラ２１上に載置される。また、押圧部材３０（押圧ローラ３１）が取り付けられた軸部材１３がコイルアッセンブリ１４０の内周側に挿入され、軸部材１３の両端が押出装置１０の一対の腕部１１に取り付けられる。これにより、押圧部材３０（押圧ローラ３１）がコイルアッセンブリ１４０の内周側に配置される。押出装置１０の上下方向位置が調節されることによって、押圧部材３０（押圧ローラ３１）は、押圧方向側（径方向外側、下方向）の外表面がコイルエンド部１２３（１２４）の径方向内側の表面と当接する位置（図７参照）に配置される。
【００４５】
この状態で、倒れ抑制部材４０（倒れ抑制ローラ４１および４２）が取り付けられた保持ブロック１４が、押出装置１０の一対の腕部１１に取り付けられる。この際、保持ブロック１４の上下方向位置が調節されることによって、倒れ抑制部材４０（倒れ抑制ローラ４１および４２）は、外表面がコイルエンド部１２３（１２４）の径方向外側の表面と当接する位置に配置される。この結果、図７に示すように、径方向内側の押圧ローラ３１と、径方向外側の倒れ抑制ローラ４１および４２とが、コイルエンド部１２３（１２４）を径方向に挟み込むように配置される。なお、図７および図８では、説明の便宜のため、コイルアッセンブリ１４０の一部のガイド治具１３１を取り除いて、ステータコア１１０を露出させて図示している。
【００４６】
〈スロットにコイルを挿入する工程〉
次に、押出装置１０および支持台２０（図３参照）が駆動され、各スロット１１３に各コイル１２０が挿入される。押出装置１０が図１に示した押圧駆動源１０ａ（プレス機構）により下方向（Ｚ２方向）に移動されることによって、コイルアッセンブリ１４０の内周側の押圧部材３０（押圧ローラ３１）により、コイルエンド部１２３（１２４）が径方向外側（下方向）に押圧される。押圧部材３０（押圧ローラ３１）によるコイルエンド部１２３（１２４）の押圧と並行して、支持台２０の支持ローラ２１が、支持ローラ駆動源２２により回転されることによって、コイルアッセンブリ１４０が中心軸線Ａｘ周りに回転される。すなわち、支持ローラ２１は、押圧部材３０に対してステータコア１１０を中心軸線Ａｘ周りの回転方向に相対的に移動させる。
【００４７】
これにより、コイルエンド部１２３（１２４）を径方向外側に押圧されたコイル１２０が、治具１３０の延長スロット部１３２からステータコア１１０のスロット１１３へ向けて、径方向外側に移動し始める。
【００４８】
より具体的には、押圧部材３０によりコイルエンド部１２３（１２４）を径方向外側に押圧することによって、図９（Ａ）および図９（Ｂ）に示すように、スロット収容部１２１（１２２）をガイド治具１３１のガイド部１３１ａに沿って径方向外側に移動させる。これにより、個々のコイル１２０は、スロット収容部１２１と１２２との間の周方向の間隔を拡大させながら、スロット収容部１２１（１２２）がスロット１１３内に挿入される。挿入の過程で、ガイド治具１３１は、スロット収容部１２１（１２２）がガイド部１３１ａに沿って径方向外側に移動するようにコイル１２０を案内しながら、コイル１２０の径方向移動によってスロット収容部１２１と１２２との間を周方向（幅方向）に押し拡げるようにしてコイル１２０を変形させる。
【００４９】
図７に示すように、押圧部材３０（押圧ローラ３１）による押圧と並行して、支持ローラ２１によりコイルアッセンブリ１４０が回転されることによって、周状に配置された各コイル１２０が、それぞれ少しずつスロット１１３に向けて移動する。コイルアッセンブリ１４０（ステータコア１１０）の中心軸線Ａｘ周りの回転に伴って、押圧ローラ３１と倒れ抑制ローラ４１および４２とは回転する。
【００５０】
第１実施形態では、倒れ抑制部材４０（倒れ抑制ローラ４１および４２）は、押圧部材３０（押圧ローラ３１）の径方向外側への移動に伴って、コイルエンド部１２３（１２４）を径方向外側から支持してコイルエンド部１２３（１２４）の倒れを抑制する。押圧を継続している間、倒れ抑制ローラ４１および４２は、コイルエンド部１２３（１２４）を支持しながらコイルエンド部１２３（１２４）の回転方向への移動に伴って回転する。押圧部材３０（押圧ローラ３１）の押圧時の径方向外側（Ｚ２方向）への移動に伴って、倒れ抑制部材４０（倒れ抑制ローラ４１および４２）は径方向外側に移動する。
【００５１】
ここで、図７および図８に示すように、周状に配列されたコイル１２０の径方向外側への移動に伴って、コイルエンド部１２３（１２４）の外径Ｒ（曲率半径）は、徐々に大きくなる。そのため、倒れ抑制ローラ４１および４２は、保持ブロック駆動源１５によって保持ブロック１４が腕部１１に対して相対的に下方向に移動されることにより、押圧ローラ３１と倒れ抑制ローラ４１および４２との間隔Ｄを異ならせる。言い換えると、押圧ローラ３１とコイルエンド部１２３（１２４）との接点の位置と、倒れ抑制ローラ４１および４２とコイルエンド部１２３（１２４）との接点の位置との相対位置（間隔）が、コイルエンド部１２３（１２４）の外径Ｒの変化（コイルエンド部１２３（１２４）の形状の変化）に合わせて変化する。具体的には、押圧開始時（図７）における押圧ローラ３１と倒れ抑制ローラ４１（４２）との間隔Ｄ１（中心間の間隔）が、押圧終了時（図８）には間隔Ｄ２となる（Ｄ２＞Ｄ１）。
【００５２】
また、図１０に示すように、コイル１２０の径方向外側への移動に伴って、各々のコイル１２０では、スロット１１３内に挿入されるスロット収容部１２１および１２２の間の周方向の間隔が大きくなっていく。そのため、コイル１２０にはコイルエンド部１２３（１２４）の両端を引っ張る引張力Ｆが作用する。この際、コイル１２０の端部であるリード線部１２５は巻回されずに自由端となっているため、図１０（Ｂ）の二点鎖線で示すように、リード線部１２５とは軸方向の反対側のコイルエンド部１２４を構成する平角導線が、引張力Ｆによって軸方向外側に移動しようとする。言い換えると、リード線部１２５が、軸方向反対側のコイルエンド部１２４により、スロット１１３内に引き込まれる方向（Ｘ２方向）に軸方向に引っ張られる。図示していないが、リード線部１２６についても同様である。
【００５３】
そのとき、コイルエンド部１２４側に配置された移動規制部材５０（図４参照）が、コイル１２０のリード線部１２５および１２６とは反対側のコイルエンド部１２４を軸方向外側位置で受け止めて、二点鎖線（図１０（Ｂ）参照）で示したコイルエンド部１２４の軸方向移動を規制する。つまり、移動規制部材５０は、外表面５１ａ（５２ａ）がコイルエンド部１２４の頂点部１２４ａに接触して、軸方向外側への移動を受け止める。
【００５４】
なお、コイルエンド部１２４を構成する平角導線のうち、リード線部１２５または１２６と直接つながっている巻き始め部分または巻き終わり部分以外の中間部分は、スロット１１３を構成するティース１１２に巻回されて両端が固定された状態になるため、移動しない。
【００５５】
また、図１０（Ａ）および（Ｂ）に示すように、コイル１２０のスロット１１３への挿入に伴って、各々のコイル１２０のコイルエンド部１２３（１２４）は、全体的にステータコア１１０の端面からの軸方向の突出量Ｌが小さくなっていく。移動規制部材５０は、規制部材駆動源１６（図４参照）によって、コイルエンド部１２３（１２４）の軸方向の突出量Ｌの変化に応じて、軸方向（ステータコア１１０に近付く方向）に移動される。
【００５６】
図８に示すように、全てのコイル１２０がステータコア１１０の各スロット１１３内に挿入されると、スロットにコイルを挿入する工程が終了する。組立装置１００からコイルアッセンブリ１４０が取り外され、ステータコア１１０から治具１３０（ガイド治具１３１）が取り外される。その結果、図５に示すステータ２００が得られる。以上のようにして、ステータ２００の組立が行われる。
【００５７】
（第１実施形態の効果）
第１実施形態では、以下のような効果を得ることができる。
【００５８】
第１実施形態では、上記のように、ステータコア１１０の内周側に配置されたコイル１２０のコイルエンド部１２３（１２４）を倒れ抑制部材４０によりステータコア１１０の径方向外側から支持してコイルエンド部１２３（１２４）の倒れを抑制しながら、押圧部材３０によりコイルエンド部１２３（１２４）をステータコア１１０の内周側から径方向外側に押圧することにより、スロット１１３にコイル１２０を挿入する。これにより、組付時に押圧部材３０によりコイルエンド部１２３（１２４）に径方向外側への大きな力が作用する場合にも、コイルエンド部１２３（１２４）が径方向外側へ倒れるのを倒れ抑制部材４０により抑制することができる。その結果、コイルエンド部１２３（１２４）を径方向外側に押圧してコイル１２０を組み付ける場合において、ステータコア１１０へのコイル１２０の組付時にコイルエンド部１２３（１２４）が径方向外側へ倒れてしまうのを抑制することができる。
【００５９】
また、第１実施形態では、上記のように、倒れ抑制部材４０を、押圧部材３０の押圧時の径方向外側への移動に伴って、コイルエンド部１２３（１２４）を支持しながら径方向外側に移動するように構成する。これにより、押圧部材３０によってスロット１１３内に挿入されるコイル１２０を、倒れ抑制部材４０によって支持し続けることができる。その結果、スロット１１３にコイル１２０を挿入する工程の間のコイル１２０の移動に応じて、コイルエンド部１２３（１２４）の倒れを抑制し続けることができる。
【００６０】
また、第１実施形態では、上記のように、倒れ抑制部材４０を、押圧部材３０の径方向外側への移動に伴ってスロット１１３に挿入されるコイル１２０の外径Ｒの変化（形状の変化）に応じて、押圧部材３０と倒れ抑制部材４０との間隔Ｄを異ならせるように構成する。これにより、スロット１１３への挿入に伴って大きくなるコイル１２０の外径Ｒ（曲率半径）に合わせた適切な間隔Ｄとなるように、押圧部材３０と倒れ抑制部材４０との相対位置関係を調節することができる。その結果、スロット１１３にコイル１２０を挿入する工程の間に、コイルエンド部１２３（１２４）に過大な力が加わることを抑制することができる。
【００６１】
また、第１実施形態では、上記のように、押圧部材３０に対するステータコア１１０の中心軸線Ａｘ周りの回転方向への相対移動に伴って回転する押圧ローラ３１を押圧部材３０として設け、コイルエンド部１２３（１２４）を支持しながらコイルエンド部１２３（１２４）の回転方向への移動に伴って回転する倒れ抑制ローラ４１および４２を倒れ抑制部材４０として設ける。これにより、押圧ローラ３１を用いて押圧部材３０とステータコア１１０とを相対回転させる構造をとることができるので、ステータコア１１０の全周を同時に径方向外側に押圧するような押圧部材を設ける場合に比べて、コイル１２０を押圧するための構造を簡素かつ小型にできる。そのため、組立装置１００を小型化することができる。また、コイルエンド部１２３（１２４）の回転方向への移動（ステータコア１１０の相対回転）に伴って倒れ抑制ローラ４１および４２を回転させることで、コイルエンド部１２３（１２４）との接触抵抗を低減できる。
【００６２】
また、第１実施形態では、上記のように、押圧部材３０のコイルエンド部１２３（１２４）に対する押圧方向に延びる線分に対して一方側に配置される倒れ抑制ローラ４１と、線分に対して他方側に配置される倒れ抑制ローラ４２とを組立装置１００に設ける。これにより、コイルエンド部１２３（１２４）を複数個所で支持することができるので、倒れ抑制部材４０からコイルエンド部１２３（１２４）へ局所的な荷重（支持力）が加わることを抑制することができる。また、各コイル１２０は周状に組み合わされてつながっている。そのため、コイルエンド部１２３（１２４）が倒れる場合、実際に押圧部材３０が押圧している部位のみならず、押圧している部位の近傍の部位も、引っ張られるようにして倒れる可能性がある。そこで、倒れ抑制ローラ４１および４２によって、押圧している部位の近傍の部位を支持して広い範囲でのコイルエンド部１２３（１２４）の倒れを抑制することができる。
【００６３】
また、第１実施形態では、上記のように、円形状の外周面を有する押圧ローラ３１を押圧部材３０に設け、円形状の外周面を有する倒れ抑制ローラ４１および４２を倒れ抑制部材４０に設ける。これにより、コイルエンド部１２３（１２４）との接触によるコイルエンド部１２３（１２４）のダメージを抑制することができる。すなわち、スロット１１３にコイル１２０を挿入する工程では、押圧部材３０に対してステータコア１１０を中心軸線周りの回転方向に相対的に移動させ、周状に配置された各コイル１２０を徐々に各スロット１１３に挿入していく。そのため、押圧ローラ３１および倒れ抑制ローラ４１および４２が回転方向の相対移動に合わせて回転することによって接触抵抗を低減することができるので、コイルエンド部１２３（１２４）のダメージを抑制することができる。
【００６４】
また、第１実施形態では、上記のように、押圧部材３０によりコイルエンド部１２３（１２４）を径方向外側に押圧し、スロット収容部１２１（１２２）をガイド治具１３１のガイド部１３１ａに沿って径方向外側に移動させることにより、スロット収容部１２１と１２２との間の周方向の間隔を拡大させながらスロット収容部１２３（１２４）をスロット１１３内に挿入するように組立装置１００を構成する。これにより、ガイド治具１３１によって、スロット収容部１２３（１２４）をスロット１１３内に確実に案内することができる。また、ガイド部１３１ａに沿ってスロット収容部１２１（１２２）を移動させる際に、過大な力がコイル１２０に加わることを抑制しつつ徐々にコイル１２０を変形させることができるので、挿入時のコイル１２０のダメージを抑制できる。
【００６５】
［第２実施形態］
次に、図１、図４、図５および図１１を参照して、本発明の第２実施形態について説明する。第２実施形態では、押圧部材３０と倒れ抑制部材４０とを、共に押出装置１０によって上下方向に移動可能に構成した上記第１実施形態とは異なり、倒れ抑制部材４０を押圧部材３０とは別個に径方向に移動可能に構成した例について説明する。なお、第２実施形態において、上記第１実施形態と同様の構成については、同一の符号を用いると共に説明を省略する。
【００６６】
（ステータの組立装置の構造）
図１１に示すように、第２実施形態によるステータ２００（図５参照）の組立装置３００は、押圧部材３０を保持する押出装置２１０と、倒れ抑制部材４０（および移動規制部材５０）を保持する保持装置２２０とを含んでいる。
【００６７】
押出装置２１０の腕部１１には、上記第１実施形態の保持ブロック１４（図１参照）が設けられておらず、腕部１１には、押圧部材３０（押圧ローラ３１）のみが軸部材１３を介して回転可能に保持されている。押出装置２１０の上下移動によって、押圧部材３０がコイルエンド部１２３（１２４）を径方向外側に押圧する。
【００６８】
保持装置２２０には、倒れ抑制部材４０が取り付けられている。図示しないが、上記第１実施形態（図４参照）と同様に、倒れ抑制部材４０は、軸方向の両側のコイルエンド部１２３（１２４）に対応して、コイルアッセンブリ１４０に対して軸方向の両側にそれぞれ配置される。そのため、保持装置２２０もコイルアッセンブリ１４０に対して軸方向の両側にそれぞれ配置される。
【００６９】
保持装置２２０は、倒れ抑制部材４０をステータコア１１０（コイルアッセンブリ１４０）の径方向に向けて移動可能に構成されている。ここで、この第２実施形態では、上記第１実施形態と異なり、保持装置２２０は、一方側（Ｙ１方向側）および他方側（Ｙ２方向側）の倒れ抑制部材４０を、それぞれ、ステータコアの中心軸線Ａｘから径方向に延びる直線Ｌ１およびＬ２に沿って移動させることが可能である。保持装置２２０は、一方側（Ｙ１方向側）の倒れ抑制ローラ４１と他方側（Ｙ２方向側）の倒れ抑制ローラ４２とを、それぞれ独立して移動させるように構成されている。
【００７０】
ステータ２００の組立時には、押出装置２１０と保持装置２２０とは、互いに同期して動作する。その結果、倒れ抑制部材４０は、押圧部材３０の押圧時の径方向外側への移動に伴って、コイルエンド部１２３（１２４）を支持しながら径方向外側に移動する。また、保持装置２２０は、押圧部材３０の径方向外側への移動に伴ってスロット１１３に挿入されるコイル１２０の外径Ｒの変化に応じて、押圧部材３０と倒れ抑制部材４０との間隔Ｄを異ならせる。
【００７１】
第２実施形態のその他の構成は、上記第１実施形態と同様である。
【００７２】
（第２実施形態の効果）
この第２実施形態においても、上記第１実施形態と同様、倒れ抑制部材４０によって、ステータコア１１０へのコイル１２０の組付時にコイルエンド部１２３（１２４）が径方向外側へ倒れてしまうのを抑制することができる。
【００７３】
また、第２実施形態では、上記のように、一方側（Ｙ１方向側）の倒れ抑制ローラ４１と他方側（Ｙ２方向側）の倒れ抑制ローラ４２とを、それぞれ独立して移動可能に構成されている。これにより、押圧部材３０によるコイル１２０のスロット１１３への挿入に伴ってコイルエンド部１２３（１２４）の外径が拡大していく過程で、コイルエンド部１２３（１２４）の外形形状が一時的にゆがむ場合にも、押圧部材３０と倒れ抑制ローラ４１および倒れ抑制ローラ４２のそれぞれとの間の間隔を個別に制御できるので、局所的な荷重（支持力）がコイルエンド部１２３（１２４）に加わることを効果的に抑制することができる。
【００７４】
第２実施形態のその他の効果は、上記第１実施形態と同様である。
【００７５】
［第３実施形態］
次に、図１２を参照して、本発明の第３実施形態について説明する。第３実施形態では、倒れ抑制部材４０と移動規制部材５０とを一体的に設けた上記第１実施形態とは異なり、倒れ抑制部材３４０と移動規制部材３５０とを別個に設けた例について説明する。なお、第３実施形態において、上記第２実施形態と同様の構成については、同一の符号を用いると共に説明を省略する。
【００７６】
（ステータの組立装置の構造）
図１２に示すように、第３実施形態によるステータ２００（図５参照）の組立装置４００は、押圧部材３０を保持する押出装置２１０と、倒れ抑制部材３４０を保持する保持装置２２０と、移動規制部材３５０を保持する保持装置３３０とを含んでいる。保持装置２２０と保持装置３３０とは、互いに独立して移動可能に構成されている。
【００７７】
保持装置２２０の倒れ抑制部材３４０は、鍔状部５１を有しない単独のローラである倒れ抑制ローラ４１（４２）のみを含んでいる。保持装置２２０は、倒れ抑制ローラ４１（４２）を径方向に移動させることが可能である。
【００７８】
保持装置３３０は、たとえば、一方側（Ｙ１方向側）および他方側（Ｙ２方向側）の保持装置２２０の間に配置されている。移動規制部材３５０は、たとえば、平坦な円盤状形状を有する。移動規制部材３５０には、倒れ抑制ローラ４１（４２）は設けられていない。保持装置３３０は、移動規制部材３５０を、径方向（上下方向）に移動可能で、かつ、軸方向（中心軸線Ａｘの延びる方向）にも移動可能に保持している。
【００７９】
これにより、移動規制部材３５０は、押圧部材３０の押圧時の径方向外側への移動に伴って、保持装置３３０により径方向外側（線分Ｐの延びる方向）に移動するように構成されている。また、移動規制部材３５０は、保持装置３３０によって、上記第１実施形態（図４参照）と同様にコイルエンド部１２４のステータコア１１０からの軸方向の突出量Ｌ（図１０参照）の変化に応じて、軸方向（Ｘ方向）にも移動可能なように構成されている。
【００８０】
ステータ２００の組立時には、押出装置２１０と、保持装置２２０と、保持装置３３０とが、互いに同期して動作する。その結果、押圧部材３０によるコイルエンド部１２３（１２４）の押圧と、倒れ抑制部材３４０によるコイルエンド部１２３（１２４）の支持と、移動規制部材３５０によるコイルエンド部１２４の移動規制とが、それぞれ並行して行われる。
【００８１】
第３実施形態のその他の構成は、上記第１実施形態と同様である。
【００８２】
（第３実施形態の効果）
この第３実施形態においても、上記第１実施形態と同様、倒れ抑制部材３４０によって、ステータコア１１０へのコイル１２０の組付時にコイルエンド部１２３（１２４）が径方向外側へ倒れてしまうのを抑制することができる。
【００８３】
また、第３実施形態では、上記のように、倒れ抑制部材３４０と移動規制部材３５０とが別個に設けられ、倒れ抑制部材３４０と移動規制部材３５０とがそれぞれ保持装置２２０と保持装置３３０とにより独立して移動可能に構成されている。これにより、倒れ抑制部材３４０を含む保持装置２２０と、移動規制部材３５０を含む保持装置３３０とを個別にユニット化して、組立装置４００における各ユニットの配置の自由度を向上させることができる。そのため、ステータ２００のサイズに応じて、たとえば３つ以上の倒れ抑制部材３４０を組立装置４００に設けたり、２つ以上の移動規制部材３５０を組立装置４００に設けたりすることが容易にできるようになる。
【００８４】
第３実施形態のその他の効果は、上記第１実施形態と同様である。
【００８５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８６】
たとえば、上記第１〜第３実施形態では、倒れ抑制部材４０（３４０）が押圧部材３０とともに径方向に移動する例を示したが、本発明はこれに限られない。本発明では、倒れ抑制部材が押圧部材とともに径方向に移動しなくともよい。倒れ抑制部材の径方向位置を固定した状態である程度までコイルの挿入（押圧部材による押圧）を行い、その後押圧を停止して、倒れ抑制部材の径方向位置を調節した後にコイルの挿入を再開してもよい。このような作業を繰り返すことでコイルの挿入を行ってもよい。
【００８７】
また、上記第１〜第３実施形態では、倒れ抑制部材４０（３４０）を押圧部材３０に対して径方向に相対移動させることにより、押圧部材３０と倒れ抑制部材４０（３４０）との間隔を異ならせる例を示したが、本発明はこれに限られない。本発明では、倒れ抑制部材を押圧部材に対して径方向に相対移動させなくともよい。押圧部材に対する倒れ抑制部材の径方向の相対位置を固定した状態である程度までコイルの挿入（押圧部材による押圧）を行い、その後押圧を停止して、押圧部材に対する倒れ抑制部材の径方向の相対位置を調節した後にコイルの挿入を再開してもよい。このような作業を繰り返すことでコイルの挿入を行ってもよい。
【００８８】
また、上記第１〜第３実施形態では、押圧ローラ３１、倒れ抑制ローラ４１（４２）および移動規制部材３５０について、それぞれコイルアッセンブリ１４０の回転に伴って駆動源なしで従動的に回転可能に構成した例を示したが、本発明はこれに限られない。本発明では、これらの押圧ローラ、倒れ抑制ローラおよび移動規制部材をコイルエンド部の回転移動に合わせて回転させるための駆動源を、組立装置に設けてもよい。この場合には、押圧ローラ、倒れ抑制ローラおよび移動規制部材の各々と、コイルエンド部との接触抵抗を極力低減することができるので、ステータの組立時にコイルエンド部が受けるダメージを抑制することができる。
【００８９】
また、上記第１〜第３実施形態では、倒れ抑制部材４０（３４０）が倒れ抑制ローラ４１（４２）を含む構成の例を示したが、本発明はこれに限られない。本発明では、倒れ抑制部材がローラ以外の板部材などでもよい。
【００９０】
また、上記第１〜第３実施形態では、組立装置１００（３００、４００）に移動規制部材５０（３５０）を設けた例を示したが、本発明はこれに限られない。本発明では、組立装置に移動規制部材を設けなくともよい。
【００９１】
また、上記第１〜第３実施形態において説明したコイルアッセンブリ１４０の構造は、あくまで一例であり、本発明はこれに限られない。たとえば、治具１３０（ガイド治具１３１）とは異なる形状の治具をコイルアッセンブリに用いてもよい。
【００９２】
また、上記第１〜第３実施形態では、導線を複数周回巻いた同心巻のコイル１２０の例を示したが、本発明はこれに限られない。本発明では、導線を波形状に複数回折り曲げたいわゆる波巻きのコイルであってもよい。たとえば、特開２００９−２６８１５８号公報に開示されているような波巻きのコイルを径方向外側に押圧してスロットに挿入する構成にも、本発明は適用可能である。
【００９３】
また、上記第１〜第３実施形態では、平角導線からなるコイル１２０を用いた例を示したが、本発明はこれに限られない。本発明では、平角導線以外の多角形断面の導線からなるコイルや、丸線からなるコイルを用いてもよい。
【００９４】
また、上記第１〜第３実施形態では、押圧部材３０が押圧ローラ３１を含む構成の例を示したが、本発明はこれに限られない。本発明では、押圧部材がローラ以外の板部材などでもよい。
【００９５】
また、上記第１〜第３実施形態では、押圧部材３０（押圧ローラ３１）によるコイルエンド部１２３（１２４）の局所的な押圧と並行して、支持ローラ２１によりコイルアッセンブリ１４０を回転させることにより、各々のコイル１２０を径方向外側に移動させる例を示したが、本発明はこれに限られない。本発明では、図１３に示す変形例のように、円環状に配列された各コイル１２０を、周方向の全周にわたって一括してスロット１１３に挿入してもよい。
【００９６】
図１３に示す変形例では、円環状に配列されたコイル１２０（コイルエンド部１２４）の内周側の押圧部材４３０と、外周側の倒れ抑制部材４４０とが、ペアで設けられている。押圧部材４３０および倒れ抑制部材４４０のペアは、たとえば保持装置４２０によって径方向に移動可能に保持されている。押圧部材４３０は内周側からコイルエンド部１２４の内周面と接触し、倒れ抑制部材４４０は外周側からコイルエンド部１２４の外周面と接触する。なお、図１３では、説明の便宜のため、押圧部材４３０および倒れ抑制部材４４０をコイルエンド部１２４から僅かに離間させて図示している。押圧部材４３０および倒れ抑制部材４４０のペアは、周方向の全周にわたって、等角度間隔で複数組（図１３では８組）配置されている。８組の押圧部材４３０および倒れ抑制部材４４０のペアがそれぞれ径方向外側に向けて移動することにより、各倒れ抑制部材４４０がコイルエンド部１２４を径方向外側から全周にわたって支持しながら、各押圧部材４３０がコイルエンド部１２４を全周にわたって径方向外側へ押圧する。その結果、図１４に示すように、コイルアッセンブリ１４０に周状に配列された各コイル１２０が、ステータコア１１０（図７参照）の各スロット１１３（図７参照）に対して、全周にわたって一括して挿入される。
【符号の説明】
【００９７】
２０  支持台
２１  支持ローラ
３０、４３０  押圧部材
３１  押圧ローラ
３１ａ  外周面
４０、３４０、４４０  倒れ抑制部材
４１  倒れ抑制ローラ（第１倒れ抑制ローラ）
４１ａ  外周面
４２  倒れ抑制ローラ（第２倒れ抑制ローラ）
４２ａ  外周面
１１０  ステータコア
１１３  スロット
１２０  コイル
１２１、１２２  スロット収容部
１２３、１２４  コイルエンド部
１３１  ガイド治具
Ａｘ  中心軸線
Ｐ  線分
【図１】
2016129197.tif 000003
【図２】
2016129197.tif 000004
【図３】
2016129197.tif 000005
【図４】
2016129197.tif 000006
【図５】
2016129197.tif 000007
【図６】
2016129197.tif 000008
【図７】
2016129197.tif 000009
【図８】
2016129197.tif 000010
【図９】
2016129197.tif 000011
【図１０】
2016129197.tif 000012
【図１１】
2016129197.tif 000013
【図１２】
2016129197.tif 000014
【図１３】
2016129197.tif 000015
【図１４】
2016129197.tif 000016
【国際調査報告】
2016129197.tif 000017
2016129197.tif 000018
2016129197.tif 000019